(57)【要約】【課題】複数の蓄電モジュールを簡単に組み立ててバンクを構成できる構造を提供する。【解決手段】蓄電バンク（１０）の蓄電モジュール（１６）〔例えば、電気二重層キャパシタ〕は、蓄電要素（２８）と、上部開口部を有し、蓄電要素（１６）を収容する本体ハウジング（２４）と、本体ハウジング（２４）の上部開口部に配置された上部ハウジング（２６）を有する。上部ハウジング（２６）の表面部分に、表面部分の全長に亘って延在する少なくとも２つの平行な第１の溝（３４ｆ）と第２の溝（３４ｒ）が形成されている。【選択図】図４
2008124250.tif 000002
【特許請求の範囲】
【請求項１】
蓄電要素（２８）と、上部開口部を有し、前記蓄電要素（２８）を収容する本体ハウジング（２４）と、前記本体ハウジング（２４）の上部開口部に配置された上部ハウジング（２６）を有する蓄電モジュール（１６）であって、
前記上部ハウジング（２６）の表面部分に、前記表面部分の全長に亘って延在する少なくとも２つの平行な第１の溝（３４ｆ）と第２の溝（３４ｒ）が形成されていることを特徴とする蓄電モジュール。
【請求項２】
基板（１４）上に請求項１の蓄電モジュール（１６）を複数備えた蓄電バンク（１０）であって、
前記複数の蓄電モジュール（１６）は、前記少なくとも２つの平行な第１の溝（３４ｆ）と第２の溝（３４ｒ）をそれぞれ一列に並べて配置されており、
前記一列に配置された第１の溝（３４ｒ）または第２の溝（３４ｒ）に押さえバー（４０）が配置され、前記押さえバー（４０）の両端が連結部材（４２）を介して前記基板（１４）に連結されて前記複数の蓄電モジュール（１６）が前記基板（１４）に固定されていることを特徴とする蓄電バンク。
【請求項３】
前記一列に配置された複数の蓄電モジュール（１６）のうち、一つ又は複数の蓄電モジュール（１６ａｆ１〜１６ａｆ３）を含む第１のグループの蓄電モジュールは前記押さえバー（４０）が前記第１の溝（３４ｆ）に配置された押さえバー（４０）で固定されており、
前記一列に配置された複数の蓄電モジュール（２６）のうち、一つ又は複数の蓄電モジュールを含み且つ前記第１のグループに隣接する第２のグループの蓄電モジュール（１６ｂｆ１〜１６ｂｆ３）は前記押さえバー（４０）が前記第２の溝（３４ｒ）に配置された押さえバーで固定されていることを特徴とする請求項２の蓄電バンク。
【発明の詳細な説明】
【技術分野】
【０００１】
本発明は、蓄電モジュールと、複数の蓄電モジュールを組み合わせて構成された蓄電バンクに関する。
【背景技術】
【０００２】
蓄電池などの蓄電モジュールは、単体の出力が限られていることから、複数の蓄電モジュールを直列に接続して必要な電力を得ることが行われる。蓄電池の一形態で、近年注目を集めている電気二重層キャパシタも同様で、現在市販されている電気二重層キャパシタの定格電圧も約１５〜６０ボルトであり、実際の適用に当たっては、複数の電気二重層キャパシタを直列に接続したバンクの状態で使用される。
【非特許文献１】岡村迪夫、電気二重層キャパシタと蓄電システム（第３版）、日刊工業新聞社
【発明の開示】
【発明が解決しようとする課題】
【０００３】
そこで、本発明は、複数の蓄電モジュールを簡単に組み立ててバンクを構成できる構造を提供することを目的とする。
【課題を解決するための手段】
【０００４】
この目的を達成するため、蓄電バンク（１０）の蓄電モジュール（１６）は、蓄電要素（２８）と、上部開口部を有し、蓄電要素（１６）を収容する本体ハウジング（２４）と、本体ハウジング（２４）の上部開口部に配置された上部ハウジング（２６）を有する。上部ハウジング（２６）の表面部分に、表面部分の全長に亘って延在する少なくとも２つの平行な第１の溝（３４ｆ）と第２の溝（３４ｒ）が形成されている。
【発明の効果】
【０００５】
本発明に係る蓄電モジュールによれば、複数の蓄電モジュールを簡単に組み立ててコンパクトなバンクを構成できる。
【発明を実施するための最良の形態】
【０００６】
以下、添付図面を参照して本発明の好適な実施形態を説明する。なお、以下の説明では、図面を参照した発明の理解を容易するために、図面に表された部材の位置や配置を説明する際に、必要に応じて、例えば「上」、「下」、「左」、「右」又はそれらの用語を含む別の用語を用いる。しかし、これらの用語の使用は発明の理解を容易にするための目的で使用するのであって、本発明の技術的範囲を定めるうえで利用されるべきものでない。
【０００７】
図１は、本発明に係る蓄電バンク（１０）を示す。蓄電バンク（１０）は、図２，３に示す２つのサブバンク（１２：１２ａ，１２ｂ）で構成されている。なお、以下の説明では、必要に応じて、図面の手前側に表されているバンク及びその構成部材の符号にはアルファベット「ａ」を付し、図面の奥側に表されているサブバンク及びその構成部材の符号にはアルファベット「ｂ」を付して区別する。ただし、構成部材の一般的な説明の場合、符号「ａ」、「ｂ」は削除する。同様に、必要に応じて、図面上で前列に配置されている部材の符号にはアルファベット「ｆ」、図面上で前列に配置されている部材の符号にはアルファベット「ｒ」を付して区別する。
【０００８】
サブバンク（１２）はそれぞれ基板（１４）を有する。実施形態では、基板（１４）は、電気的に絶縁性の材料からなる長方形の板で構成されている。基板（１４）は、複数の蓄電モジュール（以下、「モジュール」という。）（１６）を支持している。実施形態では、一方のサブバンク（１２ａ）は６個のモジュール（１６）を支持しており、他方のサブバンク（１２ｂ）は７個のモジュール（１６）を支持している。そのため、一方の基板（１４ａ）は６個のモジュール（１６）を３行×２列の配列状態で支持し得る大きさを有し、各列に３個のモジュール（１６ａｆ１〜１６ａｆ３、１６ａｒ１〜１６ａｒ３）が等間隔に並べて配置されている。他方の基板（１４ｂ）はモジュール（１６）を４行×２列の配列状態で支持し得る大きさを有し、そこに７個のモジュール（１６）が２列、すなわち、前列には４個のモジュール（１６ｂｆ１〜１６ｂｆ４）、後列には３個のモジュール（１６ｂｒ１〜１６ｂｒ３）を等間隔に並べて配置されている。好ましくは、基板（１４）はそれぞれ、四隅に、基板（１４）から上方に伸びる所定長さの柱（２０）を備えており、基板（１４）とほぼ同じ大きさを有するカバープレート（１８）を支持している。
【０００９】
実施形態で、モジュール（１６）は電気二重層キャパシタである。図４に示すように、概略、箱形の容器又はハウジング（２２）を有する。ハウジング（２２）は、周囲の４側面と底面を構成する箱型の本体フレーム（本体ハウジング）（２４）と、本体フレーム（２４）の上部開口部を覆うように本体フレーム（２４）に固定された四角形の上部フレーム（上部ハウジング）（２６）を有する。本体フレーム（２４）の中には、複数のパッケージセル（蓄電要素）（２８）が積層されて配置されている。パッケージセル（２８）は、公知のパッケージセルと同様に電極、電解液等を収容しており、パッケージセルから導出された電極端子を介して直列に接続されている。また、直列に接続されたパッケージセル（２８）の正極と負極の端部が、上部フレーム（２６）に固定した正極端子（３０）と負極端子（３２）にそれぞれ接続されている。
【００１０】
上部フレーム（２６）は、正極端子（３０）と負極端子（３２）を電気的に絶縁する必要から絶縁材料で形成されている。また、上部フレーム（３２）の上面には、正極端子（３０）と負極端子（３２）を結ぶ直線（図示せず）と平行な方向に伸び、その直線と直交方向に伸びる縁（３６）を通り連続的に伸びる直線状の２つの溝（３４：３４ｆ、３４ｒ）が形成されている。溝（３４）の深さは、モジュール（１６）に応じて適当に選択すればよく、例えば、約２ｍｍ〜約５ｍｍが適当である。
【００１１】
このように構成されたモジュール（１６）は、各列において、正極端子（３０）と負極端子（３２）が一つの直線上に位置するとともに、前後の溝（３４ｆ、３４ｒ）がそれぞれ一つの直線上に位置するように、配置される。実施形態では、各基板（１４）上に支持された複数のモジュール（１６）を直列に接続するため、一方の列に配置されたモジュール（１６ａｆ１〜１６ａｆ３、１６ｂｆ１〜１６ｂｆ４）と他方の列に配置されたモジュール（１６ａｒ１〜１６ａｒ３、１６ｂｒ１〜１６ｂｒ３）は互いに背中合わせに向けられている。
【００１２】
モジュール（１６）を基板（１４）に固定する手段は、直線上に配置された溝（３４）に配置された押さえバー（４０）と、押さえバー（４０）の両端を基板（１４）に連結する連結ボルト（連結部材）（４２）を有する。押さえバー（４０）は、一枚の細長い板からなり、両端にボルト貫通孔（図示せず）が形成されている。実施形態では、異なる長さを有する、２種類−長尺と短尺の押さえバーが使用される。長尺押さえバー（４０ａｆ１，４０ａｒ１、４０ｂｆ１，４０ｂｒ１）の長さは、３つのモジュール（１６）を押さえることができ、３つのモジュール（１６）を押さえた状態で両端のモジュール（１６）の外側にボルト貫通孔が位置するように、決められている。また、短尺押さえバー（４０ｂｆ２）の長さは、１つのモジュール（１６）を押さえることができ、モジュール（１６）を押さえた状態で両端のモジュール（１６）の外側にボルト貫通孔が位置するように、決められている。実施形態では、押さえバー（４０）は、その両端部分を除いて、中間部分（４４）の横断面がコ字状に加工されて曲げ強度が大きくしてある。連結ボルト（４２）の一端を基板（１４）に連結するために、実施の形態では、溝（３４）に配置されている押さえバー（４０）の両端貫通孔が対向する位置に止め孔（４６）が形成されており、この止め孔（４６）に連結ボルト（４２）の一端（下端）が挿入され、基板（１４）の下面から突出した連結ボルト（４２）の端部に固定又は着脱可能に固定された係合部が基板（１４）の下面に係合してある。例えば、係合部はナットであり、その場合、連結ボルト（４２）の一端には該ナットが螺合されるねじが形成される。係合部は、連結ボルト（４２）の一端を拡大又は折り曲げた部分であってもよい。連結ボルト（４２）の他端（上端）にはねじ部が形成されており、このねじ部を押さえバー（４０）のボルト貫通孔に挿通し、該ボルト貫通孔から突出した連結ボルト（４２）のねじ部に例えば蝶ナット（４８）を螺合し、これにより、モジュール（１６）が基板（１４）に固定される。
【００１３】
図１と図２に示すように、図面上で手前側の基板（１４ａ）の前列に配置された、３つのモジュール（１６ａｆ１〜１６ａｆ３）（第１のグループのモジュール）を固定する長尺押さえバー（４０ａｆ１）は後列の溝（３４ｒ）に配置されている。また、図面上で手前側の基板（１４ａ）の後列に配置された、３つのモジュール（１６ａｒ１〜１６ａｒ３）（第４のグループのモジュール）を固定する長尺押さえバー（４０ａｒ１）も後列の溝（３４ｒ）に配置されている。他方、図面上で奥側の基板（１４ｂ）の前列に配置された４つのモジュール（１６）うち手前側の３つのモジュール（１６ａｒ１〜１６ａｒ３）（第２のグループのモジュール）を固定する長尺押さえバー（４０ｂｆ１）は前列の溝（３４ｆ）に配置されている。また、図面上で奥側の基板（１４ｂ）の前列に配置された４つのモジュール（１６）うち最も奥側にある１つのモジュール（１６ｂｒ４）（第３のグループのモジュール）を固定する短尺押さえバー（４０ｂｆ２）は後列の溝（３４ｒ）に配置されている。さらに、図面上で奥側の基板（１４）の後列に配置された３つのモジュール（１６ｂｒ１〜１６ｂｒ３）（第５のグループのモジュール）を固定する長尺押さえバー（４０ｂｒ１）は前列の溝（３４ｆ）に配置されている。
【００１４】
このように、同一のモジュール列において隣接するグループの押さえバー（４０）は前列溝（３４ｆ）と後列溝（３４ｒ）に交互に配置される。具体的に、第１〜第３のグループの押さえバー（４０ａｆ１，４０ｂｆ１，４０ｂｆ２）は前列溝と後列溝に交互に配置されている。また、第４〜第５のグループの押さえバー（４０ａｒ１，４０ｂｒ１）も前列溝と後列溝に互い違いに配置されている。その結果、隣接する押さえバー（４０）の端部が干渉することがない。これにより、押さえバーの干渉を防止するために、隣接するグループ又はサブバンクの隣接するモジュール（例えば、図２に符号１６ａｆ３で示すモジュールと図３に符号１６ｂｆ１で示すモジュール、また図２に符号１６ａｒ３で示すモジュールと図３に符号１６ｂｒ１で示すモジュール）の間隔を大きくする必要がないし、その間隔を各グループ又はバングの中で隣接するモジュール（例えば、図２において符号１６ａｆ１と１６ａｆ２、また符号１６ａｆ２と１６ａｆ３で示すモジュール）の間隔と同一に設定することができる。  
【００１５】
実施形態では、複数のモジュール（１６）は直列に接続されている。具体的に、同一列上に配置された複数のモジュール、具体的には、図上手前側に配置された７個のモジュールは、隣接するモジュールが、一方のモジュールの正極端子（３０）と他方のモジュールの負極端子（３２）を導電性金属の短尺接続バー（５０Ｓ）で電気的に接続されている。また、前後の列に配置された端部のモジュール（１６）、具体的に第１のグループのモジュール（１６ａｆ１）と第４のグループのモジュール（１６ａｒ１）が、導電性金属の長尺接続バー（５０Ｌ）で電気的に接続されている。ここで注目すべきことは、図示するように、押さえバー（４０ａｆ、４０ａｒ）は溝（３４）に収容されて低い位置に配置されているため、長尺接続バー（５０Ｌ）は押さえバー（４０）の上方に位置して該押さえバー（４０）と干渉することがない、ことである。なお、接続バー（５０Ｓ，５０Ｌ）は、正極端子（３０）と負極端子（３２）に接続される両端部を除いて、絶縁性の材料で被覆することが好ましい。
【００１６】
このように、本発明に係るモジュール（１６）は上部ハウジング（２４）の表面に複数の平行な溝（３４）を備えていることから、溝（３４）と平行な方向に関して複数のモジュール（１６）を基板（１４）上に等間隔に配置できるとともに、溝（３４）と押さえバー（４０）との協働により、溝（３４）と直交する方向に簡単に位置決めできる。また、単に押さえバーと連結部材で複数のモジュールを固定する場合に比べて、押さえバー（４０）と溝（３４）との係合により、振動等の外力が加わったときでも位置ずれを防止できる。さらに、溝（３４）に配置された押さえバー（４０）と直交方向に配置される接続バー（５０）との干渉もない。
【００１７】
なお、以上の説明では、複数のモジュールを直列接続したが、並列接続することも当然可能である。また、上記実施形態では、短尺接続バーと長尺接続バーの高さをほぼ同一にしているが、例えばモジュールの端子を構成するボルトに高さ調整用のリング又はボルトを外装し、これにより、例えば長尺接続バーの接続高さを短尺接続バーの高さよりも多角してもよい。
【図面の簡単な説明】
【００１８】
【図１】本発明に係る蓄電バンクの斜視図。
【図２】図１に示す一方のサブバンクの斜視図。
【図３】図１に示す他方のサブバンクの斜視図。
【図４】本発明に係る蓄電モジュールの斜視図。
【符号の説明】
【００１９】
１０：蓄電バンク、１２：サブバンク、１４：基板、１６：蓄電モジュール、１８：カバープレート、２０：柱、２２：ハウジング、２４：本体フレーム（本体ハウジング）、２６：上部フレーム（上部ハウジング）、２８：パッケージセル（蓄電要素）、３０：正極端子、３２：負極端子、３４：溝、３６：縁、４０：押さえバー、４２：連結ボルト、５０：接続バー。
【図１】
2008124250.tif 000003
【図２】
2008124250.tif 000004
【図３】
2008124250.tif 000005
【図４】
2008124250.tif 000006
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
蓄電要素（２８）と、上部開口部を有し、前記蓄電要素（２８）を収容する本体ハウジング（２４）と、前記本体ハウジング（２４）の上部開口部に配置された上部ハウジング（２６）を有する複数の蓄電モジュール（１６）を基板（１４）上に配置した蓄電バンク（１０）であって、
前記複数の蓄電モジュール（１６）はそれぞれ、前記上部ハウジング（２６）の表面部分に、前記表面部分の全長に亘って延在する少なくとも２つの平行な第１の溝（３４ｆ）と第２の溝（３４ｒ）が形成されており、
前記複数の蓄電モジュール（１６）は、前記少なくとも２つの平行な第１の溝（３４ｆ）と第２の溝（３４ｒ）をそれぞれ一列に並べて配置されており、
前記一列に配置された第１の溝（３４ｒ）または第２の溝（３４ｒ）に押さえバー（４０）が配置され、前記押さえバー（４０）の両端が連結部材（４２）を介して前記基板（１４）に連結されて前記複数の蓄電モジュール（１６）が前記基板（１４）に固定されており、
前記一列に配置された複数の蓄電モジュール（１６）のうち、一つ又は隣接する複数の蓄電モジュール（１６ａｆ１〜１６ａｆ３）を含む第１のグループの蓄電モジュールは前記押さえバー（４０）が前記第１の溝（３４ｆ）に配置された押さえバー（４０）で固定されており、
前記一列に配置された複数の蓄電モジュール（２６）のうち、一つ又は隣接する複数の蓄電モジュールを含み且つ前記第１のグループに隣接する第２のグループの蓄電モジュール（１６ｂｆ１〜１６ｂｆ３）は前記押さえバー（４０）が前記第２の溝（３４ｒ）に配置された押さえバーで固定されていることを特徴とする蓄電バンク。
【手続補正３】
【補正対象書類名】明細書
【補正対象項目名】０００４
【補正方法】変更
【補正の内容】
【０００４】
この目的を達成するため、本発明の蓄電バンク（１０）は、蓄電要素（２８）と、上部開口部を有し、前記蓄電要素（２８）を収容する本体ハウジング（２４）と、前記本体ハウジング（２４）の上部開口部に配置された上部ハウジング（２６）を有する複数の蓄電モジュール（１６）を基板（１４）上に配置した蓄電バンク（１０）であって、
前記複数の蓄電モジュール（１６）はそれぞれ、前記上部ハウジング（２６）の表面部分に、前記表面部分の全長に亘って延在する少なくとも２つの平行な第１の溝（３４ｆ）と第２の溝（３４ｒ）が形成されており、
前記複数の蓄電モジュール（１６）は、前記少なくとも２つの平行な第１の溝（３４ｆ）と第２の溝（３４ｒ）をそれぞれ一列に並べて配置されており、
前記一列に配置された第１の溝（３４ｒ）または第２の溝（３４ｒ）に押さえバー（４０）が配置され、前記押さえバー（４０）の両端が連結部材（４２）を介して前記基板（１４）に連結されて前記複数の蓄電モジュール（１６）が前記基板（１４）に固定されており、
前記一列に配置された複数の蓄電モジュール（１６）のうち、一つ又は隣接する複数の蓄電モジュール（１６ａｆ１〜１６ａｆ３）を含む第１のグループの蓄電モジュールは前記押さえバー（４０）が前記第１の溝（３４ｆ）に配置された押さえバー（４０）で固定されており、
前記一列に配置された複数の蓄電モジュール（２６）のうち、一つ又は隣接する複数の蓄電モジュールを含み且つ前記第１のグループに隣接する第２のグループの蓄電モジュール（１６ｂｆ１〜１６ｂｆ３）は前記押さえバー（４０）が前記第２の溝（３４ｒ）に配置された押さえバーで固定されていることを特徴とする。